(57)【要約】【課題】形状の異なるバッテリを装着することが可能な電子機器において、それぞれの形状のバッテリに最適なバッテリ付勢力を簡単な構造で実現することができるバッテリ収納装置を提供する。【解決手段】バッテリの形状、つまりバッテリの厚みにより、バッテリ収納部１０１からバッテリを取り出す際に作用するバッテリ押し出し用バネ１０２，１０３，１０４の数が異なる。そして、バッテリ押し出し用バネ１０２，１０３，１０４のバネ圧を変化させることにより、小型バッテリ、中型バッテリ、大型バッテリそれぞれのバッテリにおいて、最良の押し出し強さに調整する。【選択図】図４
2008028841.tif 000002
【特許請求の範囲】
【請求項１】
形状の異なるバッテリの収納が可能なバッテリ収納装置であって、
前記バッテリを収納状態から取り外し方向へ付勢する付勢手段を有し、
前記バッテリの形状により、前記付勢手段の付勢力が異なるように構成したことを特徴とするバッテリ収納装置。
【請求項２】
前記付勢手段は、それぞれ独立して前記バッテリに当接して該バッテリを付勢する複数の突出部を有し、
前記バッテリの形状によって、該バッテリを付勢する前記突出部の数が異なるように構成したことを特徴とする請求項１に記載のバッテリ収納装置。
【請求項３】
前記各突出部は、コイルバネであることを特徴とする請求項２に記載のバッテリ収納装置。
【請求項４】
バッテリをスライドさせて収納するバッテリ収納部と、
前記バッテリ収納部に収納されたバッテリを収納状態から取り出し方向へ付勢する付勢手段と、
前記バッテリ収納部を開閉するためのバッテリ蓋と、
前記バッテリ蓋の内側に設けられ、バッテリのスライド範囲を制限する制限手段とを備えたことを特徴とするバッテリ収納装置。
【請求項５】
前記バッテリ蓋の内側に、バッテリのスライドをガイドするガイド機構を設け、
前記ガイド機構は、バッテリのスライド方向に対して直交する幅方向の位置を規制するリブ形状にしたことを特徴とする請求項４に記載のバッテリ収納装置。
【請求項６】
形状の異なるバッテリの収納が可能なバッテリ収納装置であって、
前記バッテリをスライドさせて収納するバッテリ収納部と、
前記バッテリ収納部に収納されたバッテリを収納状態から取り出し方向へ付勢する付勢手段と、
前記バッテリ収納部を開閉するためのバッテリ蓋と、
前記バッテリ蓋の内側に設けられ、バッテリのスライド範囲を制限する制限手段とを備え、
前記バッテリの形状により、前記付勢手段の付勢力が異なるように構成したことを特徴とするバッテリ収納装置。
【請求項７】
前記付勢手段は、それぞれ独立して前記バッテリに当接して該バッテリを付勢する複数の突出部を有し、
前記バッテリの形状によって、該バッテリを付勢する前記突出部の数が異なるように構成したことを特徴とする請求項６に記載のバッテリ収納装置。
【請求項８】
前記各突出部は、コイルバネであることを特徴とする請求項７に記載のバッテリ収納装置。
【請求項９】
前記バッテリ蓋の内側に、バッテリのスライドをガイドするガイド機構を設け、
前記ガイド機構は、バッテリのスライド方向に対して直交する幅方向の位置を規制するリブ形状にしたことを特徴とする請求項６乃至８のいずれかに記載のバッテリ収納装置。
【請求項１０】
形状の異なるバッテリの収納が可能なバッテリ収納装置の収納方法であって、
前記バッテリを収納状態から取り外し方向へ付勢する付勢手段を設けておき、
前記バッテリの形状により、前記付勢手段の付勢力を変えることを特徴とするバッテリ収納装置の収納方法。
【請求項１１】
バッテリをスライドさせて収納するバッテリ収納部と、前記バッテリ収納部に収納されたバッテリを収納状態から取り出し方向へ付勢する付勢手段と、前記バッテリ収納部を開閉するためのバッテリ蓋とを備えたバッテリ収納装置の収納方法であって、
前記バッテリの取り出し時に、前記バッテリ蓋の内側に設けられた制限手段により、バッテリのスライド範囲を制限することを特徴とするバッテリ収納装置の収納方法。
【請求項１２】
形状の異なるバッテリの収納が可能なバッテリ収納装置の収納方法であって、
前記バッテリをスライドさせて収納するバッテリ収納部と、前記バッテリ収納部に収納されたバッテリを収納状態から取り出し方向へ付勢する付勢手段と、前記バッテリ収納部を開閉するためのバッテリ蓋とを設けておき、
前記バッテリの形状により、前記付勢手段の付勢力を変えると共に、
前記バッテリの取り出し時に、前記バッテリ蓋の内側に設けられた制限手段により、バッテリのスライド範囲を制限することを特徴とするバッテリ収納装置の収納方法。
【発明の詳細な説明】
【技術分野】
【０００１】
本発明は、電子機器等のバッテリを収納するバッテリ収納装置及びその収納方法に関するものである。
【背景技術】
【０００２】
近年、デジタルカメラやデジタルビデオカムコーダ、携帯電話などの電子機器の小型化が進み、これら電子機器は、移動時でも電源を供給するため、バッテリ収納装置を搭載してバッテリを装着することが可能な構造となっている。
【０００３】
従来のバッテリ収納装置では、バッテリ収納部の奥部にコイルバネが設置されており、バッテリを挿入した際には、コイルバネが圧縮されて、バッテリロック爪等によってバッテリが飛び出さないように固定される。そして、バッテリを取り出す際には、前記バッテリロック爪を解除することによって、圧縮されていたコイルバネが、バッテリをバッテリ収納部から押し出す方向に付勢する。これにより、バッテリを取り出すものである。
【０００４】
しかし、このような構造のバッテリ収納装置では、前記バッテリ収納部からバッテリを取り出そうとしてバッテリロック爪を解除すると、コイルバネの付勢力でバッテリが勢い良く飛び出すことで、バッテリが落下し、故障の原因となっていた。
【０００５】
このような問題の対策としては、コイルバネを使用せずに、バッテリ収納部にスライダを取り付けバッテリを移動させ、更にダンパを取り付けることによって、バッテリの付勢力を調整したものがある（特許文献１参照）。
【０００６】
一方、同一形状のバッテリだけでなく、バッテリの形状が異なる各種形状タイプのバッテリの装着が可能なバッテリ収納装置も知られている。
【特許文献１】特開２００３−１２５２５５号公報
【発明の開示】
【発明が解決しようとする課題】
【０００７】
しかしながら、各種形状タイプのバッテリの装着が可能なバッテリ収納装置では、上記問題が一層顕著となる。すなわち、このような構造のバッテリ収納装置では、大型のバッテリを押し出すことを想定して設定されたバネを使用している。そのため、小型のバッテリを収納した際には、バネの付勢力が必要以上に強いため、バッテリが勢い良く飛び出してしまい、バッテリが落下するだけでなく、操作者に衝突するなどの危険もあった。
【０００８】
上記特許文献１の技術は１つの形状のバッテリを取り出す際の飛び出し防止対策であり、形状の異なるバッテリの付勢対策には適用することができず、各種形状タイプのバッテリそれぞれに最適な付勢力を有するバッテリ収納構造が望まれていた。
【０００９】
本発明は上記従来の問題点に鑑み、形状の異なるバッテリを装着することが可能な電子機器において、それぞれの形状のバッテリに最適なバッテリ付勢力を簡単な構造で実現することができるバッテリ収納装置及びその収納方法を提供することである。
【００１０】
また、形状の異なるバッテリを装着することが可能な電子機器において、バッテリ取り出し時に、バッテリの飛び出し範囲を規制することができるバッテリ収納装置及びその収納方法を提供することである。
【課題を解決するための手段】
【００１１】
本発明は上記目的を達成するため、形状の異なるバッテリの収納が可能なバッテリ収納装置であって、前記バッテリを収納状態から取り外し方向へ付勢する付勢手段を有し、前記バッテリの形状により、前記付勢手段の付勢力が異なるように構成したことを特徴とする。
【００１２】
また、本発明は、バッテリをスライドさせて収納するバッテリ収納部と、前記バッテリ収納部に収納されたバッテリを収納状態から取り出し方向へ付勢する付勢手段と、前記バッテリ収納部を開閉するためのバッテリ蓋と、前記バッテリ蓋の内側に設けられ、バッテリのスライド範囲を制限する制限手段とを備えたことを特徴とする。
【００１３】
また、本発明は、形状の異なるバッテリの収納が可能なバッテリ収納装置であって、前記バッテリをスライドさせて収納するバッテリ収納部と、前記バッテリ収納部に収納されたバッテリを収納状態から取り出し方向へ付勢する付勢手段と、前記バッテリ収納部を開閉するためのバッテリ蓋と、前記バッテリ蓋の内側に設けられ、バッテリのスライド範囲を制限する制限手段とを備え、前記バッテリの形状により、前記付勢手段の付勢力が異なるように構成したことを特徴とする。
【００１４】
また、本発明は、形状の異なるバッテリの収納が可能なバッテリ収納装置の収納方法であって、前記バッテリを収納状態から取り外し方向へ付勢する付勢手段を設けておき、前記バッテリの形状により、前記付勢手段の付勢力を変えることを特徴とする。
【００１５】
また、本発明は、バッテリをスライドさせて収納するバッテリ収納部と、前記バッテリ収納部に収納されたバッテリを収納状態から取り出し方向へ付勢する付勢手段と、前記バッテリ収納部を開閉するためのバッテリ蓋とを備えたバッテリ収納装置の収納方法であって、前記バッテリの取り出し時に、前記バッテリ蓋の内側に設けられた制限手段により、バッテリのスライド範囲を制限することを特徴とする。
【００１６】
また、本発明は、形状の異なるバッテリの収納が可能なバッテリ収納装置の収納方法であって、前記バッテリをスライドさせて収納するバッテリ収納部と、前記バッテリ収納部に収納されたバッテリを収納状態から取り出し方向へ付勢する付勢手段と、前記バッテリ収納部を開閉するためのバッテリ蓋とを設けておき、前記バッテリの形状により、前記付勢手段の付勢力を変えると共に、前記バッテリの取り出し時に、前記バッテリ蓋の内側に設けられた制限手段により、バッテリのスライド範囲を制限することを特徴とする。
【発明の効果】
【００１７】
本発明によれば、形状の異なるバッテリを収納することが可能なバッテリ収納装置において、それぞれの形状のバッテリに最適なバッテリ付勢力を簡単な機構で実現することが可能になる。
【００１８】
また、バッテリの取り出し時に、バッテリの飛び出し範囲を規制することが可能になる。
【００１９】
これにより、バッテリの取り出し時に、バッテリがバッテリ収納部から勢い良く飛び出して、落下したり、操作者に衝突したりする危険を確実に防止することができる。
【発明を実施するための最良の形態】
【００２０】
本発明の実施の形態について、図面を参照しながら説明する。
【００２１】
［第１の実施の形態］
＜バッテリ収納装置の構造＞
図１は、本発明の第１の実施形態に係るバッテリ収納装置の構造を示す正面図であり、図２は、図１のＡ−Ａ断面図である。
【００２２】
図１に示す撮像装置のバッテリ収納装置には、バッテリ本体が収納されるバッテリ収納部１０１を備えている。バッテリ収納部１０１の奥部の側壁面には、バッテリ押し出し用バネ１０２、バッテリ押し出し用バネ１０３、及びバッテリ押し出し用バネ１０４がバッテリの取り外し方向へ突出するように配置されている。これらのバネ１０２、１０３、１０４は、円錐コイルバネで構成されている。
【００２３】
また、図２に示すように、バッテリ収納部１０１の底部には、バッテリ接続端子部２０１〜２０５が配設されている。このバッテリ接続端子部２０１〜２０５は、バッテリと電気的に接続するための金属端子部である。バッテリがバッテリ収納部１０１に挿入されると、バッテリ接続端子部２０１〜２０５が、バッテリ側に配置された金属端子部に当接する。これによって、バッテリと撮像装置とが電気的に接続され、撮像装置本体にバッテリから電源が供給されるようになっている。
【００２４】
＜バッテリの取り出し機構＞
次に、操作者の操作によってバッテリをバッテリ収納部１０１から取り出すための機構について、図３を参照して説明する。
【００２５】
図３は、本実施の形態に係るバッテリ収納装置の構造を示す斜視図である。
【００２６】
図３では、バッテリ蓋３０６が開いた状態を示している。バッテリ蓋３０６は、バッテリ収納部１０１底部に配置されたバッテリ蓋シャーシ３０４を軸に回動する。バッテリ蓋ロック部３０１が初期位置から左右方向に移動することによって、バッテリ蓋３０６に引っ掛かっていたバッテリ蓋ロック部３０１が外れ、バッテリ蓋３０６が開く構造になっている。
【００２７】
バッテリロック部３０２は、バッテリロック部付勢バネ３０５により、バッテリ３０３側にチャージされており、バッテリ３０３の取り出し方向に、バッテリ３０３が移動しないようにロックしている。操作者によりバッテリロック部３０２を移動することにより、バッテリロック部３０２がバッテリ３０３から外れ、バッテリ３０３は、バッテリ押し出しバネ１０２によってバッテリ収納部１０１から外へ押し出される。
【００２８】
＜バッテリの押し出し機構＞
次に、形状の異なる各種バッテリをバッテリ収納部１０１から押し出すための機構について、図４を参照して説明する。
【００２９】
本実施の形態のバッテリ収納装置は、例えば、撮像装置に搭載され、大型、中型、小型の３種類の厚みのバッテリを装着可能であるものとする。小型バッテリは、３種類の厚みのバッテリの中で最も厚みの薄いバッテリであり、中型バッテリは、厚みが中程度のバッテリであり、大型バッテリは、３種類の厚みのバッテリの中で最も厚みの大きいバッテリである。なお、バッテリの厚みの違いはバッテリ蓄電容量の違いであり、厚みが厚いほど蓄電容量が大きい。
【００３０】
（Ａ）小型バッテリを装着した場合
図４は、本実施の形態に係るバッテリ収納装置において小型バッテリを装着した場合の状態を示す正面図である。
【００３１】
図４に示す例では、小型バッテリ４０１をバッテリ収納部１０１に装着した状態を示している。
【００３２】
小型バッテリ４０１を装着した場合には、図１で示したバッテリ押し出し用バネ１０４を付勢している。このため、小型バッテリ４０１を取り出す際には、バッテリ押し出し用バネ１０４のみの力が作用することになるため、バッテリ押し出し用バネ１０４のバネ圧を設定することで、小型バッテリ４０１の飛び出し度合いを設定することができる。
【００３３】
（Ｂ）中型バッテリを装着した場合
図５は、本実施の形態に係るバッテリ収納装置において中型バッテリを装着した場合の状態を示す正面図である。
【００３４】
図５に示すように、中型バッテリ５０１を装着した場合には、図１で示した２つのバッテリ押し出し用バネ１０３，１０４が付勢される。このため、中型バッテリ５０１を取り出す際には、バッテリ押し出し用バネ１０３，１０４の力が作用することになる。そのため、バッテリ押し出し用バネ１０３のバネ圧を設定することで、中型バッテリ５０１の飛び出し度合いを設定することができる。
【００３５】
（Ｃ）大型バッテリを装着した場合
図６は、本実施の形態に係るバッテリ収納装置において大型バッテリを装着した場合の状態を示す正面図である。
【００３６】
図６に示すように、大型バッテリ６０１を装着した場合には、図１で示したバッテリ押し出し用バネ１０２，１０３，１０４全てのバネが付勢される。このため、大型バッテリ６０１を取り出す際には、バッテリ押し出し用バネ１０２，１０３，１０４の力が作用することになる。このため、バッテリ押し出し用バネ１０２のバネ圧を設定することで大型バッテリ６０１の飛び出しを設定することができる。
【００３７】
＜第１の実施の形態の利点＞
本実施の形態によれば、バッテリの形状、つまりバッテリの厚みにより、バッテリ収納部１０１からバッテリを取り出す際に作用するバッテリ押し出し用バネ１０２，１０３，１０４の数が異なる。そして、バッテリ押し出し用バネ１０２，１０３，１０４のバネ圧を変化させることにより、小型バッテリ、中型バッテリ、大型バッテリそれぞれのバッテリにおいて、最良の押し出し強さに調整することができる。
【００３８】
このような簡単な機構で、バッテリ取り出し時にバッテリがバッテリ収納部１０１から勢い良く飛び出して、落下したり、操作者に衝突したりする危険を確実に防止することができる。また、バッテリの飛び出し量が少なく、バッテリが取り出しにくい、という不具合も生じない。
【００３９】
［第２の実施の形態］
本第２の実施の形態では、上記第１の実施の形態のバッテリ収納部１０１と同様の機構を有するバッテリ収納部のバッテリ蓋３０６に、バッテリ取り出し時のガイド機構を設けたものである。
【００４０】
以下、このガイド機構の構造について、図７及び図８を参照して説明する。
【００４１】
＜バッテリ収納部のガイド機構＞
図７は、本発明の第２の実施の形態に係るバッテリ収納装置の要部構造を示す部分斜視図であり、図８は、図７のＢ部の詳細図である。
【００４２】
バッテリ収納部１０１のバッテリ蓋３０６の内側には、バッテリ取り出し時に作用する図８に示すようなガイド機構が設けられている。
【００４３】
図８において、このガイド機構は、バッテリ蓋３０６内側の両サイド底面にバッテリスライド面８０１が配設されている。前述したバッテリロック部３０２を回動し、バッテリ７０１のロックを解除することにより、バッテリ７０１が、バッテリ収納部１０１から押し出される。このとき、バッテリ７０１の底面が、バッテリスライド面８０１に沿って移動する。すなわち、バッテリスライド面８０１は、バッテリ７０１を移動するためのレールとして作用する。したがって、バッテリをバッテリ収納部１０１内にスライドさせて装着する際にもバッテリスライド面８０１を用いることができる。
【００４４】
また、バッテリ蓋３０６内側の両サイド側面には、バッテリガイド面８０２が配設されている。このバッテリガイド面８０２は、バッテリ７０１が押し出された際のバッテリ幅方向の飛び出しを規制するための壁である。
【００４５】
このようにバッテリスライド面８０１及びバッテリガイド面８０２を設けることにより、バッテリがスライドする際にバッテリの厚み方向（図８参照）をバッテリスライド面８０１が規制する。このとき、バッテリは、重力によりバッテリスライド面８０１に押し付けられているものとしている。更に、バッテリの幅方向（図８参照）をバッテリガイド面８０２が規制する構造となっている。
【００４６】
＜バッテリの飛び出し量規制＞
次に、バッテリの飛び出し量を規制する機構について、図９及び図１０を参照して説明する。
【００４７】
図９は、バッテリ収納部１０１からバッテリが押し出された状態を示す部分斜視図であり、図１０は、図９のＣ部の詳細図である。
【００４８】
図９及び図１０中のバッテリ９０１は上記した３種類のバッテリのいずれかである。図１０に示すように、バッテリ蓋３０６内側の先端部付近には、バッテリの飛び出し量を規制するためのリブ１００１が設置されている。
【００４９】
リブ１００１は、バッテリスライド面８０１及びバッテリガイド面８０２によって規制されながら、バッテリ収納部１０１からスライドしてきたバッテリ９０１のスライド方向の移動を規制する。
【００５０】
＜第２の実施の形態の利点＞
本実施の形態によれば、バッテリ蓋３０６の内側にバッテリスライド面８０１及びバッテリガイド面８０２を設けた。これにより、バッテリがスライドする際にバッテリの厚み方向をバッテリスライド面８０１が規制し、バッテリの幅方向をバッテリガイド面８０２が規制する。さらに、バッテリの飛び出し量を規制するためのリブ１００１を設けたので、バッテリ９０１のスライド方向の移動を規制する。
【００５１】
このように、バッテリのスライド範囲を制限するように構成したので、バッテリの飛び出し範囲を好適に規制することができる。したがって、バッテリの取り出し時に、バッテリがバッテリ収納部１０１から勢い良く飛び出して、落下したり、操作者に衝突したりする危険を確実に防止することができる。
【図面の簡単な説明】
【００５２】
【図１】第１の実施形態に係るバッテリ収納装置の構造を示す正面図である。
【図２】図１のＡ−Ａ断面図である。
【図３】第１の実施の形態に係るバッテリ収納装置の構造を示す斜視図である。
【図４】第１の実施の形態に係るバッテリ収納装置において小型バッテリを装着した場合の状態を示す正面図である。
【図５】第１の実施の形態に係るバッテリ収納装置において中型バッテリを装着した場合の状態を示す正面図である。
【図６】第１の実施の形態に係るバッテリ収納装置において大型バッテリを装着した場合の状態を示す正面図である。
【図７】第２の実施の形態に係るバッテリ収納装置の要部構造を示す部分斜視図である。
【図８】図７のＢ部の詳細図である。
【図９】バッテリ収納部からバッテリが押し出された状態を示す部分斜視図である。
【図１０】図９のＣ部の詳細図である。
【符号の説明】
【００５３】
１０１  バッテリ収納部
１０２〜１０４  バッテリ押出バネ
２０１〜２０５  バッテリ接続端子
３０１，７０１，９０１  バッテリ蓋ロック部
３０３  バッテリ
３０４  バッテリ蓋シャーシ
３０６  バッテリ蓋
４０１  小型バッテリ
５０１  中型バッテリ
６０１  大型バッテリ
８０１  バッテリスライド面
８０２  バッテリガイド面
１００１  バッテリ飛び出し量規制リブ
【図１】
2008028841.tif 000003
【図２】
2008028841.tif 000004
【図３】
2008028841.tif 000005
【図４】
2008028841.tif 000006
【図５】
2008028841.tif 000007
【図６】
2008028841.tif 000008
【図７】
2008028841.tif 000009
【図８】
2008028841.tif 000010
【図９】
2008028841.tif 000011
【図１０】
2008028841.tif 000012